(57)【特許請求の範囲】
【請求項１】
配線が取り回される第一のパチンコ機構成部材に取り付けられることにより該配線を該第一のパチンコ機構成部材に対して留める配線留め部材と、該第一のパチンコ機構成部材を該第一のパチンコ機構成部材とは異なる第二のパチンコ機構成部材に固定する固定具との少なくとも一方を複数備えており、これらの配線留め部材と固定具とを、該第一のパチンコ機構成部材において該配線留め部材が取り付けられる取付面に沿って交互に並べると共に、該配線留め部材によって該配線を該第一のパチンコ機構成部材に対して留める方向とは反対の方向に該固定具を該取付面から突出させて、該配線に該固定具を押し当てることにより、該配線を蛇行させて波状に配するようにしたことを特徴とするパチンコ機。
【発明の詳細な説明】
【技術分野】
【０００１】
本発明は、配線留め部材によって配線処理が施されたパチンコ機に関するものである。
【背景技術】
【０００２】
良く知られているように、パチンコ機においては、電源用配線や信号用配線等、多くの配線が用いられている。
【０００３】
ところで、パチンコ機というのは、例えば、中枠が外枠に対して一軸回りに回動可能に組み付けられているように、一方の部材が他方の部材に対して一軸回りに回動可能に組み付けられていることが多い。
【０００４】
それ故、配線を処理する際において、メンテナンス等に伴う部材の回動時に配線が邪魔にならないようにするのは勿論のこと、部材の回動時等において配線に引張力が作用することにより配線が断線しないようにすることについても考慮する必要がある。
【０００５】
そこで、特許文献１に記載されているように、カバー部材が皿部材に取り付けられた状態で、カバー部材に設けられたリブ壁と皿部材に設けられたリブ片とが、交互に位置せしめられるようにし、これらリブ壁とリブ片とによって、カバー部材と皿部材の対向面間に配置される配線を蛇行させる配線処理方法が考えられる。
【０００６】
しかしながら、特許文献１に記載の配線処理方法においては、配線を留めるためだけにリブ壁とリブ片を設けなければならないという問題があり、現実的ではない。
【０００７】
【特許文献１】特開平１１−１６９５３３号公報
【発明の開示】
【発明が解決しようとする課題】
【０００８】
ここにおいて、本発明は、上述の如き事情を背景として為されたものであって、その解決課題とするところは、配線の断線を有利に防止することが出来ると共に、配線処理に必要な配線留め部材の数を少なくすることが出来る、新規な構造のパチンコ機を提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。
【００１０】
本発明のパチンコ機は、配線が取り回される第一のパチンコ機構成部材に取り付けられることにより配線を第一のパチンコ機構成部材に対して留める配線留め部材と、第一のパチンコ機構成部材を第一のパチンコ機構成部材とは異なる第二のパチンコ機構成部材に固定する固定具との少なくとも一方を複数備えており、これらの配線留め部材と固定具とを第一のパチンコ機構成部材において配線留め部材が取り付けられる取付面に沿って交互に並べると共に、配線留め部材によって配線を第一のパチンコ機構成部材に対して留める方向とは反対の方向に固定具を取付面から突出させて、配線に固定具を押し当てることにより、配線を蛇行させて波状に配するようにしたことを、特徴とする。
【００１１】
このような本発明に従う構造とされたパチンコ機においては、配線を第一のパチンコ機構成部材に留める配線留め部材と、第一のパチンコ機構成部材と第二のパチンコ機構成部材を固定する固定具とが、第一のパチンコ機構成部材において配線留め部材が取り付けられる取付面に沿って交互に並べられるようになっていると共に、配線留め部材によって配線を第一の配線パチンコ機構成部材に対して留める方向とは反対の方向に向かうように、固定具が取付面から突出せしめられて、配線に押し当てられることにより、配線が蛇行せしめられて波状に配されるようになっていることから、配線を弛ませた状態で第一のパチンコ機構成部材に取り回すことが可能となる。その結果、例えば、第一のパチンコ機構成部材と第二のパチンコ機構成部材とが一軸回りに回動せしめられた際、配線に対して引張力が作用した場合であっても、配線が断線することを有利に防止することが可能となる。
【００１２】
また、本発明においては、第一のパチンコ機構成部材を第二のパチンコ機構成部材に固定する固定具を巧く利用して、配線を蛇行させて波状に配するようになっていることから、配線を蛇行させて波状にした状態で取り回すために必要な配線留め部材の数を少なくすることが可能となる。
【００１３】
なお、本発明における配線とは、電源用配線や信号用配線等、パチンコ機を稼動させるために必要な各種の配線をいう。そこにおいて、電源用配線とは、パチンコ機が設置された遊技ホールの島設備に設けられたコンセントに接続される配線、即ち、パチンコ機と外部電源とを接続する配線のみならず、パチンコ機に設けられた電源ユニットからパチンコ機を構成する各種装置に電力を供給する配線、更には、アース線も含むものとする。また、信号用配線とは、パチンコ機の状態、例えば、遊技球が所定の領域を通過したこと等、パチンコ機の遊技に関する状態や、ガラス枠が中枠に対して開いていること等、パチンコ機そのものの状態を検出する検出手段から出力される検出信号の伝送に用いられる配線のみならず、パチンコ機の遊技動作全体を制御する主制御回路からパチンコ機を構成する各種装置の作動を制御するサブ制御回路への制御信号の伝送に用いられる配線や複数のサブ制御回路間での制御信号の伝送に用いられる配線等も含む。
【００１４】
また、本発明において、固定具とは、第一のパチンコ機構成部材と第二のパチンコ機構成部材を固定することが出来るものであれば、特に限定されることはないが、メンテナンス性等を考慮した場合、第一のパチンコ機構成部材と第二のパチンコ機構成部材とを着脱可能に固定することが出来るものが望ましい。具体的には、例えば、実公平７−４３４７１号公報や特許第３２５１７７５号等において従来から公知のクリップやボルト等が好適に採用される。
【００１５】
更にまた、本発明において、蛇行して波状に配された配線の振幅は一定であっても良いし、一定でなくても良い。
【発明を実施するための最良の形態】
【００１６】
以下、本発明を更に具体的に明らかにするために、本発明の実施形態について、図面を参照しつつ、詳細に説明する。
【００１７】
先ず、図１には、本発明の第一の実施形態としてのパチンコ機１０が示されている。このパチンコ機１０は、機体の外郭を為す外枠１２の開口前面側において、縦長方形の中枠１４が開閉及び着脱自在に組み付けられた構造とされている。また、中枠１４には、図示しない遊技領域が形成された遊技盤（図示せず）が着脱自在に組み付けられており、かかる遊技領域が、中枠１４に対して開閉可能に組み付けられたガラス枠１６によって保持されているガラス板を通して遊技者に視認されるようになっている。そして、中枠１４に設けられた操作ハンドル１８に対して回動可能に装着された操作レバー２０が遊技者に回動操作されることにより、中枠１４に設けられた上皿２２に貯留されている遊技球が、図示しない球送り機構を介して発射装置（図示せず）に送られた後、遊技領域に向けて発射されるようになっている。
【００１８】
このようなパチンコ機１０の裏側には、図２及び図３に示されているように、パチンコ機１０を構成する各種の部品、例えば、遊技領域に設けられた入賞装置に遊技球が入賞した場合に払い出される賞球が貯留される賞球タンク等が装着される機構盤２４が設けられている。この機構盤２４は、ＡＢＳ等の硬質の合成樹脂材料によって形成されており、全体として額縁形状を呈している。なお、図３では、後述する電源用配線２６や電源中継基板３０，配線留め部材３２，センターカバー３３，取付用突起４０の図示は省略してある。
【００１９】
このような機構盤２４は、本実施形態では、中枠１４の裏側に取り付けられるようになっている。具体的には、本実施形態の場合、機構盤２４と中枠１４は、図４に示されているように、固定具としてのクリップ２３によって固定されるようになっており、特に本実施形態では、中枠１４に設けられた固定用片を介して、機構盤２４と中枠１４が固定されるようになっている。これにより、後述する取付面２５が中枠１４側に位置するようにして、機構盤２４が中枠１４に固定されるようになる。また、本実施形態では、機構盤２４の裏側から表側に向かって、即ち、機構盤２４における取付面２５（後述する）から突出する方向に向かって、クリップ２３が突出する状態で、機構盤２４と中枠１４が固定されるようになっている。なお、クリップ２３は、実公平７−４３４７１号公報や特許第３２５１７７５号等において従来から公知であることから、その詳細な説明は省略する。
【００２０】
そして、中枠１４の裏側に機構盤２４が取り付けられることにより、機構盤２４に形成された開口部分に対して、中枠１４の裏側に装着された遊技盤に設けられている表示装置等が位置せしめられるようになっている。なお、中枠１４の裏側に装着された遊技盤に設けられている表示装置等は、機構盤２４が中枠１４に取り付けられた状態で、機構盤２４に取り付けられたセンターカバー３３によって覆われるようになっている。
【００２１】
また、上述の如く、機構盤２４が中枠１４の裏側に取り付けられることにより、機構盤２４は、中枠１４と一体的に回動可能とされている。
【００２２】
そして、本実施形態では、上述の如く額縁形状を呈する機構盤２４の縁の部分に対して、配線としての電源用配線２６が配線留め部材３２によって留められて取り回されるようになっている。なお、このことから明らかなように、本実施形態では、機構盤２４によって第一のパチンコ機構成部材が構成されていると共に、中枠１４によって第二のパチンコ機構成部材が構成されているのである。
【００２３】
因みに、本実施形態における電源用配線２６は、機構盤２４の裏側に取り付けられる電源ユニット（図示せず）と電源中継基板３０とを接続しており、交流電流が流れる電源コード、特に本実施形態では、ＡＣ２４Ｖ用の電源コードによって構成されている。そして、図面上では明示されていないが、電源中継基板３０は、パチンコ機１０が設置された遊技ホールの島設備に設けられたコンセントに対して電源コード（図示せず）によって接続されており、それによって、パチンコ機１０に電力が供給されるようになっている。
【００２４】
また、配線留め部材３２は、ＡＢＳ等の硬質の合成樹脂材料によって形成されており、図５乃至図９に示されているように、機構盤２４の取付面２５に取り付けられる取付部３４を含んで構成されている。そこにおいて、本実施形態の取付部３４は、全体として上底壁と周壁を備えた逆カップ形状とされている。また、本実施形態では、取付部３４に対して切欠４６，４６が形成されている。特に本実施形態では、取付部３４の周壁において後述する腕部３６の長手方向に直交する方向で対向位置せしめられる部分のそれぞれに切欠４６が形成されている。更にまた、本実施形態では、取付部３４の周壁の高さ寸法は、切欠４６，４６を挟んで腕部３６側のほうが反対側よりも大きくされている。
【００２５】
このような取付部３４の軸方向一方側の端、即ち、上底壁側の端には、取付部３４の軸直角方向外方に延びる腕部３６が一体形成されており、特に本実施形態では、腕部３６は長手板形状とされている。
【００２６】
そして、本実施形態の腕部３６には、板状の突出片３８が、取付部３４の中心軸線に沿って取付部３４の軸方向他方の側、即ち、上底壁とは反対側の端に向かって突出するように一体形成されている。そこにおいて、本実施形態の突出片３８は、腕部３６の長手方向において取付部３４が位置するほうとは反対側の端に位置せしめられている。また、本実施形態では、突出片３８の厚さ方向（図６や図７における左右方向）両側の面は、何れも、腕部３６の長手方向に対して直交する方向に略平行とされている。
【００２７】
このような構造とされた配線留め部材３２は、機構盤２４の表側、即ち、機構盤２４における中枠１４側に位置する取付面２５に対して、所定の距離を隔てて複数設けられるようになっている。
【００２８】
具体的には、本実施形態の場合、図８及び９に示されているように、機構盤２４の取付面２５の内周縁部に立設された補強リブ２８から離れた位置において突出するように設けられた取付用突起４０に対して配線留め部材３２の取付部３４が外挿されて、取付部３４の軸方向他端面のうち切欠４６，４６を挟んで腕部３６側の端面が機構盤２４の取付面２５に重ね合わせられている一方、取付部３４の軸方向他端面のうち切欠４６，４６を挟んで腕部３６とは反対側の端面が取付用突起４０の外周部分において略半周に亘って形成された段差部４５に重ね合わせられており、また、各切欠４６内に取付用突起４０に設けられた突出片４８が位置せしめられた状態で、取付部３４の上底壁に形成された挿通孔に挿通されるねじ４４が取付用突起４０に形成されたねじ穴４２に螺挿されることにより、取付部３４、延いては、配線留め部材３２が、機構盤２４の取付面２５に取り付けられるようになっている。
【００２９】
そして、上述の如く取付部３４が取付面２５に取り付けられた状態で、腕部３６は、取付面２５から突出した取付部３４の先端部分から取付面２５に沿って延びるようになっている。
【００３０】
なお、本実施形態では、取付部３４の上底壁に形成された挿通孔の軸方向一端側の開口周縁部に角取りが施されており、それによって、挿通孔の軸方向一端側の開口周縁部にテーパ面が形成されている。その結果、上述の如くねじ４４がねじ穴４２に螺挿された状態で、ねじ４４の頭部が取付部３４の軸方向一端側の端面から突出しないようになっている。
【００３１】
そこにおいて、本実施形態では、上述の如く取付部３４が取付用突起４０に組み付けられるようになっていることから、ねじ穴４２にねじ４４を螺挿する際に取付部３４が取付用突起４０に対して回転してしまう不具合を有利に回避することが可能となる。その結果、ねじ穴４２にねじ４４を螺挿する作業を速やかに行うことが可能となる。加えて、取付部３４、延いては、配線留め部材３２の位置決めをすることも可能となる。
【００３２】
また、上述の如く配線留め部材３２が機構盤２４に取り付けられた状態で、腕部３６は、機構盤２４の内周縁部において取付面２５から突出するように設けられた補強リブ２８に至るまで延びている。そこにおいて、本実施形態では、腕部３６は、補強リブ２８の突出先端面の上方にまで延び出しており、特に本実施形態では、腕部３６は、補強リブ２８の突出先端面に重ね合わせられている。
【００３３】
また、このようにして、腕部３６が補強リブ２８の突出先端面に重ね合わせられた状態で、腕部３６の突出端に一体形成された突出片３８は、補強リブ２８に形成された切欠溝４１に収容されるようになっている。これにより、ねじ穴４２にねじ４４を螺挿する際に取付部３４が取付用突起４０に対して回転してしまう不具合を有利に回避することが可能となる。その結果、ねじ穴４２にねじ４４を螺挿する作業を速やかに行うことが可能となる。加えて、取付部３４、延いては、配線留め部材３２の位置決めをすることも可能となる。
【００３４】
更にまた、上述の如く取付部３４が取付面２５に取り付けられた状態で、腕部３６の突出端に形成された突出片３８が補強リブ２８に形成された切欠溝４１に収容されることにより、取付部３４と腕部３６と補強リブ２８と取付面２５によって囲まれた領域４３が周方向で閉じるようになっている。そこにおいて、このような領域４３は、配線留め部材３２と同じ数だけ形成されるようになっている。その結果、これら複数の領域４３は、補強リブ２８に沿って、所定距離を隔てて並ぶように位置せしめられることとなる。
【００３５】
そして、上述の如く配線留め部材３２が機構盤２４に取り付けられることにより、電源用配線２６は、補強リブ２８と取付部３４と腕部３６と取付面２５によって囲まれた領域４３に収容位置せしめられた状態で、機構盤２４に配されるようになっている。その結果、電源用配線２６は、補強リブ２８に沿って機構盤２４に配されるようになっている。
【００３６】
上述の説明から明らかなように、本実施形態の場合、配線留め部材３２が機構盤２４において中枠１４とは反対側に位置する取付面２５に重ね合わせられることにより、上述の如き電源用配線２６が収容配置される領域４３が形成されるようになっている。その結果、配線留め部材３２の取付方向、即ち、配線留め部材３２が電源用配線２６を機構盤２４に留める方向が、クリップ２３が取付面２５突出する方向とは反対の方向とされているのである。
【００３７】
そして、本実施形態では、上述の如く電源用配線２６が配線留め部材３２によって機構盤２４に留められた状態で、隣り合う二つの配線留め部材３２，３２の間に、クリップ２３が位置せしめられるようになっている。その結果、配線留め部材３２とクリップ２３が機構盤２４において配線留め部材３２が取り付けられる取付面２５に沿って交互に並ぶようになっている。
【００３８】
また、クリップ２３の先端が電源用配線２６に当接せしめられるようになっている。これにより、電源用配線２６がクリップ２３によって機構盤２４の取付面２５から離隔する方向に押し上げられることとなる。その結果、電源用配線２６が蛇行せしめられて波状に配されることとなる。
【００３９】
このような構造とされたパチンコ機１０においては、電源用配線２６が、配線留め部材３２と補強リブ２８と取付面２５によって形成された領域４３に収容位置せしめられた状態で機構盤２４に留められるようになっていると共に、クリップ２３の取付面２５からの突出方向に押し上げられていることから、電源用配線２６を弛ませた状態で機構盤２４に取り回すことが可能となる。その結果、機構盤２４が取り付けられた状態の中枠１４が一軸回りに回動せしめられる際において、電源用配線２６に引張力が作用した場合であっても、電源用配線２６の断線を有利に防止することが可能となる。
【００４０】
また、機構盤２４と中枠１４を固定するためのクリップ２３を巧く利用して、電源用配線２６を蛇行させて波状に弛ませて配するようになっていることから、断線が有利に防止される状態で電源用配線２６を配するために必要な配線留め部材３２の数を少なくすることが可能となる。
【００４１】
さらに、本実施形態では、電源用配線２６が配線留め部材３２と補強リブ２８と取付面２５によって形成された領域４３に収容位置せしめられた状態で機構盤２４に留められるようになっていることから、電源用配線２６がパチンコ機１０に留められた状態を有利に維持することが可能となる。
【００４２】
特に、本実施形態の場合、電源用配線２６が収容配置される領域４３は、補強リブ２８に沿って、所定距離を隔てて複数並んでいることから、電源用配線２６がパチンコ機に留められた状態を一層有利に維持することが可能となる。
【００４３】
また、本実施形態では、取付部３４を取付面２５に取り付けるだけで電源用配線２６が収容配置される領域４３が形成されるようになっていることから、電源用配線２６を予め補強リブ２８に沿って配しておくことによって、電源用配線２６を機構盤２４に留める作業が簡単になり、その結果、かかる作業を効率良く行うことが可能となる。従って、狭い領域で配線処理をしなければならない場合であっても、配線処理作業を、速やかに、且つ、容易に行うことが可能となる。
【００４４】
さらに、本実施形態では、取付部３４が取付面２５に取り付けられた状態で、腕部３６が、取付面２５から突出した取付部３４の先端部分から取付面２５に沿って延びるように設けられていると共に、突出片３８が腕部３６から補強リブ２８の基端側に向かって突出していることから、取付面２５からの配線留め部材３２の突出高さを低くすることが可能となる。
【００４５】
また、本実施形態では、電源用配線２６が中枠１４の裏側に取り付けられる機構盤２４の縁の部分に配されるようになっていることから、中枠１４の開閉作動に際して電源用配線２６が邪魔になることがない。
【００４６】
次に、本発明の第二の実施形態について、図１０及び１１に基づいて、説明する。なお、以下の説明において、第一の実施形態と同様な構造とされた部材及ぶ部位については、第一の実施形態と同一の符号を付すことにより、それらの詳細な説明を省略する。
【００４７】
本実施形態のパチンコ機５０は、第一の実施形態のパチンコ機（１０）に比して、電源用配線２６と信号用配線５２が並行して配されている。因みに、本実施形態における信号用配線５２は、機構盤２４が中枠１４に取り付けられているか否かを検出すると共に、中枠１４に対してガラス枠１６が閉められているか否かを検出する中枠開放スイッチ（図示せず）等と、パチンコ機１０の状態をパチンコ機１０が設置されたホールの監視装置へ出力するための回路が形成された外部出力端子基板（図示せず）とを接続しており、それによって、中枠開放スイッチ等からの検出信号が信号用配線５２を通じて外部出力端子基板に形成された回路に伝送されるようになっている。
【００４８】
また、本実施形態では、電源用配線２６と信号用配線５２を機構盤２４に留める配線留め部材５４は、ＡＢＳ等の硬質の合成樹脂材料によって形成されており、図１２乃至図１４に示されているように、機構盤２４の取付面２５に重ね合わせられる取付部５６を含んで構成されている。そこにおいて、本実施形態の取付部５６は、上底壁と周壁を備えた逆カップ形状とされている。
【００４９】
また、取付部５６における上底壁側の端には、取付部５６の軸直角方向外方に延びる腕部５８が一体形成されている。そこにおいて、本実施形態の腕部５８は長手板形状とされている。
【００５０】
更にまた、腕部５８には、複数（本実施形態では、二つ）の仕切片６０，６２が、腕部５８の延びる方向で所定距離を隔てて、且つ、取付部５６の中心軸線に沿って取付部５６の上底壁側とは反対側に突出するようにして一体形成されている。そこにおいて、本実施形態では、二つの仕切片６０，６２は、一方の仕切片６０が腕部５８の長手方向において取付部５６が位置するほうとは反対側の端に位置せしめられており、他方の仕切片６２が腕部５８の長手方向中間部分に位置せしめられている。特に、本実施形態では、他方の仕切片６２が、腕部５８の長手方向中央よりも先端側に位置せしめられており、それによって、二つの仕切片６０，６２の離隔距離よりも他方の仕切片６２と取付部５６の離隔距離のほうが長くなっている。また、本実施形態では、二つの仕切片６０，６２の対向面が、それぞれ、腕部５８の長手方向に対して直交する方向に略平行とされていると共に、他方の仕切片６２における取付部５６側の面も腕部５８の長手方向に対して直交する方向に略平行とされている。
【００５１】
このような構造とされた配線留め部材５４は、機構盤２４の表側、即ち、機構盤２４における中枠１４側に対して、所定の距離を隔てて複数設けられるようになっている。具体的には、本実施形態の場合、機構盤２４の取付面２５から突出するように設けられた取付用突起６４に対して配線留め部材５４の取付部５６が外挿されて、取付部５６の軸方向端面が機構盤２４の取付面２５に重ね合わせられた状態で、取付部５６の上底壁に形成された挿通孔に挿通されるねじ６６が取付用突起６４に形成されたねじ穴６８に螺挿されることにより、取付部５６、延いては、配線留め部材５４が、機構盤２４の取付面２５に取り付けられるようになっている。その結果、取付部５６が取付面２５に取り付けられた状態で、腕部５８が、取付面２５から突出した取付部５６の先端部分から取付面２５に沿って延びるように設けられていることとなり、また、二つの仕切片６０，６２のそれぞれが、腕部５８から取付面２５に向かって突出するように設けられていることとなる。なお、本実施形態では、取付部５６の上底壁に形成された挿通孔の軸方向他端側の開口周縁部に角取りが施されており、それによって、挿通孔の軸方向他端側の開口周縁部にテーパ面が形成されている。その結果、上述の如くねじ６６がねじ穴６８に螺挿された状態で、ねじ６の頭部が取付部５６の上底壁側の端面から突出しないようになっている。
【００５２】
因みに、本実施形態では、上述の如く配線留め部材５４が機構盤２４に取り付けられた状態で、一方の仕切片６０の突出端と他方の仕切片６２の突出端は、何れも、取付面２５に対して当接するようになっている。その結果、二つの仕切片６０，６２と腕部５８と取付面２５によって囲まれた領域７０が周方向で閉じるようになっていると共に、他方の仕切片６２と取付部５６と腕部５８と取付面２５によって囲まれた領域７２が周方向で閉じるようになっている。
【００５３】
そこにおいて、本実施形態では、取付部５６に対して切欠７４が形成されており、特に本実施形態では、取付部５６の周壁における腕部５８の長手方向で対向位置せしめられる部分に対して、それぞれ、切欠７４が形成されている。そして、上述の如く取付部５６が取付用突起６４に外挿されて取付部５６の軸方向端面が機構盤２４の取付面２５に重ね合わされた状態で、取付用突起６４に設けられた突出片７６が切欠７４内に位置せしめられるようになっている。これにより、ねじ穴６８にねじ６６を螺挿する際に取付部５６が取付用突起６４に対して回転してしまう不具合を有利に回避することが可能となる。その結果、ねじ穴６８にねじ６６を螺挿する作業を速やかに行うことが可能となる。加えて、取付部５６、延いては、配線留め部材５４の位置決めをすることも可能となる。
【００５４】
また、本実施形態では、上述の如く配線留め部材５４が機構盤２４に取り付けられた状態で、信号用配線５２は、二つの仕切片６０，６２と腕部５８と取付面２５によって囲まれた領域７０に収容位置せしめられるようにして、機構盤２４に配されるようになっている。なお、本実施形態では、領域７０に収容配置される信号用配線５２は二本とされている。一方、本実施形態では、電源用配線２６は、他方の仕切片６２と取付部５６と腕部５８と取付面２５によって囲まれた領域７２に収容位置せしめられるようにして、機構盤２４に配されるようになっている。
【００５５】
そこにおいて、本実施形態では、隣り合う二つの配線留め部材５４，５４の間にクリップ２３が位置せしめられており、それによって、配線留め部材５４とクリップ２３が取付面２５に沿って交互に並ぶようになっている。そして、このクリップ２３によって電源用配線２６のみが取付面２５から離隔する方向に押し上げられている。その結果、本実施形態では、信号用配線５２は略真っ直ぐに配されるようになっている一方、電源用配線２６は蛇行して波状に配されるようになっている。
【００５６】
特に、本実施形態では、上述の如く蛇行して波状に配された電源用配線２６が位置する平面：Ｓ（図１１参照）に対して直交する方向での投影において、電源用配線２６が波打つ方向（図１０における上下方向）の両端の間に信号用配線５２が位置せしめられるようになっている。これにより、本実施形態では、蛇行して波状に配された電源用配線２６が位置する平面：Ｓに対して直交する方向での投影において、信号用配線５２と電源用配線２６が部分的に重なるようになっている。
【００５７】
このような構造とされたパチンコ機５０においては、電源用配線２６が、クリップ２３によって取付面２５から離隔する方向に押し上げられていることにより、蛇行せしめられて波状に配されるようになっていることから、第一の実施形態と同様な効果を得ることが可能となる。
【００５８】
また、本実施形態では、信号用配線５２が配線留め部材５４と取付面２５によって形成された領域７０に収容位置せしめられた状態で機構盤２４に留められるようになっていると共に、電源用配線２６が配線留め部材５４と取付面２５によって形成された領域７２に収容位置せしめられた状態で機構盤２４に留められるようになっていることから、信号用配線５２と電源用配線２６を分けた状態で機構盤２４に留めることが可能となる。
【００５９】
さらに、本実施形態では、取付部５６を取付面２５に重ね合わせて取り付けるだけで、電源用配線２６が収容配置される領域７２と信号用配線５２が収容配置される領域７０が形成されるようになっていることから、電源用配線２６と信号用配線５２を分けて機構盤２４に留める作業が簡単になり、その結果、かかる作業を効率良く行うことが可能となる。従って、狭い領域で配線処理をしなければならない場合であっても、配線処理作業を、速やかに、且つ、容易に行うことが可能となる。
【００６０】
さらに、取付部５６が取付面２５に取り付けられた状態で、腕部５８が、取付面２５から突出した取付部５６の先端部分から取付面２５に沿って延びるように設けられていると共に、二つの仕切片６０，６２のそれぞれが、腕部５８から取付面２５に向かって突出していることから、取付面２５からの配線留め部材５４の突出高さを低くすることが可能となる。
【００６１】
更にまた、本実施形態では、電源用配線２６が蛇行するように配されている一方、信号用配線５２が略真っ直ぐに延びるように配されていることから、電源用配線２６に電流が流れることで発生する磁界が信号用配線５２の殆どの部分において信号用配線５２に対して斜めに交わることとなる。これにより、電源用配線２６に交流電流が流れることに起因する発生磁界の変化に基づく悪影響が、信号用配線５２を通じて伝送される信号に対して、殆ど及ぼされないようにすることが可能となる。その結果、信号用配線５２を通じて伝送される信号にノイズがのり難くなるようにすることが可能となる。
【００６２】
また、本実施形態では、電源用配線２６と信号用配線５２が中枠１４の裏側に取り付けられる機構盤２４の縁の部分に配されるようになっていることから、中枠１４の開閉作動に際して電源用配線２６と信号用配線５２が邪魔になることがない。
【００６３】
以上、本発明の一実施形態について詳述してきたが、これはあくまでも例示であって、本発明は、かかる実施形態における具体的な記載によって、何等、限定的に解釈されるものではない。
【００６４】
例えば、前記第一の実施形態において、突出片３８は必ずしも必要ではない。また、前記第一の実施形態において、腕部３６と補強リブ２８の間に隙間が形成されていても良い。更に、前記第一の実施形態において、切欠溝４１は必ずしも必要ではない。更にまた、前記第一の実施形態において、取付部３４に形成された切欠４６は、必ずしも必要なものではない。また、前記第一の実施形態において、取付用突起４０は、必ずしも必要なものではない。更に、前記第一の実施形態において、段差部４５は、必ずしも必要なものではない。
【００６５】
また、前記第二の実施形態において、配線留め部材５４が機構盤２４に取り付けられた状態で、一方の仕切片６０と取付面２５の間に隙間が形成されるようになっていても良いし、他方の仕切片６２と取付面２５の間に隙間が形成されるようになっていても良い。また、前記第二の実施形態において、取付部５６に形成された切欠４６は、必ずしも必要なものではない。
【００６６】
さらに、前記第二の実施形態において、電源用配線２６の代わりに、信号用配線５２を蛇行させて波状に配するようにしても良い。また、前記第二の実施形態において、信号用配線５２を、電源用配線２６とは逆になるように、即ち、位相が１８０度ずれるように蛇行させて波状に配するようにしても良い。更にまた、前記第二の実施形態において、領域７０に収容配置される信号用配線５２の本数は一本であっても良いし、三本以上であっても良い。
【００６７】
その他、一々列挙はしないが、本発明は、当業者の知識に基づいて、種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００６８】
【図１】本発明の一実施形態のパチンコ機を示す正面図。
【図２】同パチンコ機の裏側に取り付けられた機構盤を示す正面図。
【図３】同機構盤の斜視図。
【図４】同機構盤と中枠の固定方法を説明するための側面図。
【図５】配線留め部材の斜視図。
【図６】配線留め部材の側面図。
【図７】配線留め部材の裏面図。
【図８】電源用配線が配された状態を説明するための平面図。
【図９】図８におけるＩＸ−ＩＸ断面図。
【図１０】本発明の第二の実施形態のパチンコ機において電源用配線と信号用配線が配された状態を説明するための側面図。
【図１１】図１０におけるＸＩ−ＸＩ断面図。
【図１２】配線留め部材の斜視図。
【図１３】配線留め部材の側面図。
【図１４】配線留め部材の裏面図。
【符号の説明】
【００６９】
１０：パチンコ機，１４：中枠，２３：クリップ，２４：機構盤，２５：取付面，２６：電源用配線，３２：配線留め部材
【図１】
0004827015.tif 000002
【図２】
0004827015.tif 000003
【図３】
0004827015.tif 000004
【図４】
0004827015.tif 000005
【図５】
0004827015.tif 000006
【図６】
0004827015.tif 000007
【図７】
0004827015.tif 000008
【図８】
0004827015.tif 000009
【図９】
0004827015.tif 000010
【図１０】
0004827015.tif 000011
【図１１】
0004827015.tif 000012
【図１２】
0004827015.tif 000013
【図１３】
0004827015.tif 000014
【図１４】
0004827015.tif 000015